(57)【要約】  本発明は、海の波から基礎的なインパルス法を使用して電気エネルギーを生成する設備に関し、前記設備においては波がフロート（１）の上に強制的に置かれ、フロート（１）は柱（４）に沿ってスライドする。柱（４）は、底端においては折り畳まれた柔軟な円筒（３）を手段として、上端においては長方形構造（８）及び連結式構造（１０）を手段として、フロート（１）に取り付けられる。長方形構造（８）は発電機（６）と関連する慣性ディスク（７）を支持し、連結式構造（１０）は梁（１２）の上に位置するプラットフォーム（１１）を備えている。前記プラットフォームは、フロート（１）の動きを調整する。フロート（１）は梯子型の梁（９）を有し、梁（９）はフロート（１）に取り付けられて、慣性ディスク上の留め具によって作動させられる。振動を用いて前記慣性ディスクを回転させ、この動きが発電機（６）に伝達され、発電機（６）において前記動きが電気エネルギーに変換される。
2010519444.tif 000002
【特許請求の範囲】
【請求項１】
海の波の作用から電気エネルギーを生成するための設備であって、
ａ）海の波の上方及び下方への運動の両方において、水平又は並進運動及び垂直又は振動運動の両方の海の波の動きを使用して電気エネルギーを生成することと、
ｂ）海底に置かれた重コンクリート及び／又は鋳鉄製のブロック（１４）に取り付けられたケーブル（１３）によって、当該ユニットを前記海底から一定の距離に保つフロート（０）により構成されるシステム支持ユニットを有することと、
ｃ）カルダン（cardan）継ぎ手（２）によりフロート（０）と結合され、柔軟な円筒（３）によりフロート（１）に結合され、長方形構造（８）により発電機に結合された柱（４）上においてスライドするフロート（１）であって、発電機ユニットを構成する要素を含むフロート（１）により構成される波エネルギー捕捉システムを有することと、
ｄ）いくつかの連結式構造（１０）、この場合には二つの連結式構造（１０）を有し、各連結式構造（１０）がガイド梁（１２）によって支持されるバネ（１１）を含むことと、
ｅ）いくつかの発電機ユニット、この場合には波の構造によって二つ又は四つの発電機ユニットを有し、前記発電機ユニットは発電機（６）に関連付けられた慣性ディスク（７）から構成され、発電機（６）は、その頂上から底部までフロート（１）に結合している水平梁（９）の留め具（catch）の動きから電気エネルギーを生成するために慣性ディスク（７）を回転させる留め具を有すること
を特徴とする設備（図１，２，３参照）。
【請求項２】
フロート（０）と、取付ケーブル（１３）と、シュー（１４）を備えたシステム支持ユニットを含み、
ａ）アルキメデスの原理に起因して海水により生成される押し上げ力に対抗する（counter）取付ケーブルの作用により決定される深さに全体のシステムアセンブリを維持することにより、全体のシステムアセンブリを支持することと、
ｂ）支持しなければならない当該システムの残りのサイズに従って、その寸法及び体積は可変であることと、
ｃ）フロート（０）は任意の形状を有し得て、この場合には六角形のレンズ状の形状を有することと、
ｄ）フロート（０）が取付ケーブル（１３）とその対応するシュー（１４）により海底に取り付けられていること
を特徴とする、請求項１に記載のシステム。
【請求項３】
フロート（１）及びその構成要素から構成された海の波エネルギー捕捉システムを含み、
ａ）前記エネルギー捕捉システムの寸法、容量及び体積が波の構造に従って可変であることと、
ｂ）前記エネルギー捕捉システムの形状は円筒状又は角柱状であり得て、後者の場合にはそのより大きな基礎において接合された二つの六角錐台であり得ることと、
ｃ）フロート（１）が柱（４）に沿って長軸方向にスライドし、前記柱上においてフロートがスライドすることを可能にする、折り畳まれた柔軟な円筒（３）によりその底部において柱（４）に結合されていることと、
ｄ）フロート（１）が、その頂上において二つの連結式構造（１０）により取り付けられ、底部において長方形構造（８）、柱（４）及び折り畳まれた柔軟な円筒（３）により取り付けられた発電機（６）をその内部に含むことと、
ｅ）前記連結式構造（１０）は、その水平軸上に梁（１２）上をスライドするバネ（１１）を含み、海の波の作用に起因してバネ（１１）が伸長又は圧縮されたときに前記構造の斜めの長さ（diagonal lengths）の増加又は減少によりフロート（１）の上方又は下方への動きを制御すること
を特徴とする、請求項１又は２に記載のシステム。
【請求項４】
発電機（６）と関連する慣性ディスクから構成される電気エネルギー生成ユニットを含み、
ａ）発電機がその慣性ディスク（７）によって作動させられ、フロート（１）に接合されているためフロート（１）のように直線的に動く梁によって前記慣性ディスク（７）の留め具が駆動されるとき、慣性ディスクは水平梁（９）によって次々に作動させられることと、
ｂ）前記梁（９）は、連結式構造（１０）がバネ（１１）に作用するとき、バネ（１１）の伸長及び圧縮に起因して上下に動き、海の波の作用に起因してフロート（１）が上下に動く時、その斜めの長さを増減させることと、
ｃ）発電機と関連する慣性ディスクの数は偶数でなければならず、この場合には、波の構造に従って２又は４であること
を特徴とする、請求項１乃至３のいずれかに記載のシステム。
【発明の詳細な説明】
【技術分野】
【０００１】
（発明の目的）
本発明の目的は、波の上昇及び下降における波の水平並進運動と垂直振動運動の両方を使用して、電気エネルギーを海の波の衝撃から生成するための設備を開発して運用することである。
【０００２】
（技術分野）
本発明は、電気エネルギー生成の領域内にあって、１２月２３日の国王令２８１８／１９９８、９月２７日の欧州連合指令２００１／７７／ＥＣ、国王令４３６／２００４及び国王令法７／２００６によって推進されるような、再生可能なソースからの電力生成のために設けられた特別な形態に含まれる。これは、使用されるシステムによってだけでなく供給される生産量（yield）によっても、国内及び海外における他のこの種のシステムとは異なるため、種々の本質的な構成要素において革新的な設備モデルである。
【発明の開示】
【課題を解決するための手段】
【０００３】
（発明の説明）
この設備又はシステムは、以下の構成要素を用いて、波の上昇及び下降の局面（図１，２，３）の両方における波の水平並進運動と垂直振動運動の両方を使用して、海の波のエネルギーから電気エネルギーを生成するために使用される。
１）順にそれらの対応するシュー（１４）に固定される４対のケーブル（１３）によって海底に取り付けられるレンズ状の形状を有するフロート（０）により構成されるシステム支援ユニット。
２）以下のものにより構成される、波エネルギー獲得システム。
ａ）任意の形状を有し得るフロート（１）。この場合においては、より大きな基礎と結合された二つの角錐台であって、前記角錐台は、カルダン（cardan）玉継ぎ手（２）によりフロート（０）に固定され折り畳まれた（concertinered）柔軟な円筒（３）によりフロート（１）に固定された柱（４）に沿った波の動きによりスライドする。
ｂ）その終端のうちの一つにおいてフロート（１）の上面も取り付けられ、その反端の終端において発電機（６）を支える長方形構造（８）に取り付けられた、いくつかの、この場合には二つの連結式構造（１０）。
ｃ）ガイドとして働く水平バー（１２）の上に位置する、フロート（１）の上方向及び下方向の移動を促進する、弾性バネ（１１）により支持された（carried）それぞれ一つの連結式構造（１０）。
ｄ）フロート（１）の頂上から底部までのはしごの形状による、慣性ディスク（７）の受け取り時に振動（pulse）により作動する一連の、この場合には四つの水平な梁（９）。
ｅ）一方、柱（４）は、フロート（１）が前記柱（４）に沿って移動することを可能にするために、柔軟な材料により作られた折り畳まれた円筒（３）によってフロート（１）の底部に結合されている。
３）以下のものにより構成される、電気エネルギー生成器ユニット。
ａ）長方形構造（８）により柱（４）に取り付けられ、かつフロート（１）の内部に位置し、この場合二個又は四個の、波の構造に従った偶数の発電機（６）。
ｂ）フロート（１）に付加された多数の水平な梁（９）に作用する留め金（catch）を有する、発電機（６）に関連付けられた慣性ディスク（７）。前記梁（９）は頂上から底部までフロート（１）の内部に固定され、前記梁（９）の作用は動きを発電機（６）に伝達するために使用される。
【発明を実施するための最良の形態】
【０００４】
（好適な実施形態）
１）図１，２，３に示されるように、レンズ上のフロート（０）により構成されるシステムの支持ユニットは、機械的動作及び環境要因に対して耐久性を有するプラスチック又は金属材料により作られる。
２）図１，２，３に示されるように、支持ケーブル（１３）とシュー（１４）により構成されるアセンブリの固定は、鉄又はプラスチックの撚り線により行われ、、前者の場合には、強化コンクリート及び／又は鋳鉄の大きなブロックによっても固定が行われ、後者の場合には、海底に置かれる。
３）図１，２，３に示されるように、上記要素から構成される海の波エネルギー捕捉装置は、機械的動作及び環境要因に対して耐久性を有するプラスチック及び／又は金属の材料から作られる。
４）図１，２，３に示されるように、その対応する発電機（６）に関連付けられた慣性ディスク（７）により構成された電気エネルギー生成器ユニットは、機械的動作及び環境要因に耐え得る金属及び／又はプラスチックの材料から構築され、かつ前記材料上に搭載される。
５）以下の選択肢により、本発明のシステムは海中のどこにでも設置され得る。
ａ）既に述べたような沖合。
ｂ）浅瀬及び中間の深さの海において、取付システムは金属の塔と置き換えられ得る。
ｃ）海岸においては、取付システムは固定構造物と置き換えられる。
６）沿岸への電気エネルギーの移送は、沿岸部までの距離に応じて必要とされる電圧にて、海底ケーブルにより実行される。
【０００５】
特性や独占的運用は、新規かつ独自の発明である「基礎インパルス法を利用して海の波から電気エネルギーを生成するための設備」として特許請求される。前記発明は、添付の特許請求の範囲を含む。
【図面の簡単な説明】
【０００６】
【図１】本発明による海の波の作用から電気エネルギーを生成するための設備を示す。
【図２】本発明による海の波の作用から電気エネルギーを生成するための設備を示す。
【図３】本発明による海の波の作用から電気エネルギーを生成するための設備を示す。
【図１】
2010519444.tif 000003
【図２】
2010519444.tif 000004
【図３】
2010519444.tif 000005
【国際調査報告】
2010519444.tif 000006
2010519444.tif 000007
2010519444.tif 000008
2010519444.tif 000009
2010519444.tif 000010
2010519444.tif 000011